(57)【特許請求の範囲】
【請求項１】
複数のチューナに接続することが可能な受信装置であって、
それぞれ前記複数のチューナに接続するための複数の信号入出力端子、
受信した電波から複数の映像信号を抽出する信号抽出回路、
各信号入出力端子に対応して設けられ、対応の信号入出力端子を介してチューナから与えられた直流あるいは交流パルス信号の電圧レベルに従って前記信号抽出回路で抽出された複数の映像信号のうちのいずれかの映像信号を選択する選択回路、
各選択回路に対応して設けられ、対応の選択回路で選択された映像信号を増幅して対応の信号入出力端子に与える増幅回路、
前記複数の信号入出力端子がそれぞれ前記複数のチューナに接続されている場合は前記複数の信号入出力端子のうちの予め定められた信号入出力端子を介してチューナから与えられる直流信号が有する直流電力を電源ノードに与え、前記予め定められた信号入出力端子がチューナに接続されていない場合はそれ以外の信号入出力端子を介してチューナから与えられる直流信号が有する直流電力を前記電源ノードに与える第１の電源回路、および
前記電源ノードを介して与えられる直流電力によって駆動され、前記信号抽出回路用の直流電源電圧を生成する第２の電源回路を備える、受信装置。
【請求項２】
前記第１の電源回路は、
各信号入出力端子に対応して設けられ、対応の信号入出力端子を介してチューナから与えられる直流信号によって駆動され、対応の増幅回路用の直流電源電圧を生成する電圧発生回路、
前記予め定められた信号入出力端子に対応する電圧発生回路の出力ノードと前記電源ノードとの間に接続された第１のダイオード、および
前記予め定められた信号入出力端子以外の各信号入出力端子に対応して設けられ、対応の電圧発生回路の出力ノードと前記電源ノードとの間に直列接続された少なくとも２つの第２のダイオードを含む、請求項１に記載の受信装置。
【請求項３】
前記第１の電源回路は、
各信号入出力端子に対応して設けられ、対応の信号入出力端子を介してチューナから与えられる直流信号によって駆動され、対応の増幅回路用の直流電源電圧を生成する電圧発生回路、
前記予め定められた信号入出力端子に対応する電圧発生回路の出力ノードと前記電源ノードとの間に接続された第１のダイオード、および
前記予め定められた信号入出力端子以外の各信号入出力端子に対応して設けられ、対応の電圧発生回路の出力ノードと前記電源ノードとの間に接続され、前記第１のダイオードのしきい値電圧よりも高いしきい値電圧を有する第２のダイオードを含む、請求項１に記載の受信装置。
【請求項４】
前記第１の電源回路は、
前記予め定められた信号入出力端子を介してチューナから与えられる直流信号によって駆動され、対応の増幅回路用の第１の直流電源電圧を生成する第１の電圧発生回路、
前記予め定められた信号入出力端子以外の各信号入出力端子に対応して設けられ、対応の信号入出力端子を介してチューナから与えられる直流信号によって駆動され、前記第１の直流電源電圧よりも低い対応の増幅回路用の第２の直流電源電圧を生成する第２の電圧発生回路、
前記第１の電圧発生回路の出力ノードと前記電源ノードとの間に接続された第１のダイオード、および
各第２の電圧発生回路に対応して設けられ、対応の第２の電圧発生回路の出力ノードと前記電源ノードとの間に接続された第２のダイオードを含む、請求項１に記載の受信装置。
【請求項５】
前記第１の電源回路は、
各信号入出力端子に対応して設けられ、対応の信号入出力端子を介してチューナから与えられる直流信号によって駆動され、対応の増幅回路用の直流電源電圧を生成する電圧発生回路、
前記予め定められた信号入出力端子と前記電源ノードとの間に接続された第１のダイオード、および
前記予め定められた信号入出力端子以外の各信号入出力端子に対応して設けられ、対応の電圧発生回路の出力ノードと前記電源ノードとの間に接続された第２のダイオードを含む、請求項１に記載の受信装置。
【請求項６】
前記第１の電源回路は、
前記予め定められた信号入出力端子以外の各信号入出力端子に対応して設けられ、対応の信号入出力端子を介してチューナから与えられる直流信号によって駆動され、対応の増幅回路用の直流電源電圧を生成する電圧発生回路、
前記予め定められた信号入出力端子と前記電源ノードとの間に接続された第１のダイオード、および
各電圧発生回路に対応して設けられ、対応の電圧発生回路の出力ノードと前記電源ノードとの間に接続された第２のダイオードを含み、
前記第２の電源回路は、さらに、前記予め定められた信号入出力端子に対応する増幅回路用の直流電源電圧も生成する、請求項１に記載の受信装置。
【発明の詳細な説明】
【０００１】
【発明の属する技術分野】
この発明は受信装置に関し、特に、複数のチューナに接続することが可能な受信装置に関する。
【０００２】
【従来の技術】
図１１は、従来のＬＮＢ（Low Noise Block down converter）の要部を示す回路ブロック図である。図１１において、信号入出力端子５１ａ，５１ｂの各々は、チューナに接続される。２つのチューナからＬＮＢの信号入出力端子５１ａ，５１ｂに直流電圧Ｖ１ａ，Ｖ１ｂが与えられる。直流電圧Ｖ１ａ，Ｖ１ｂの各々は、たとえば１８Ｖと１３Ｖの２値をとる。直流電圧Ｖ１ａ，Ｖ１ｂは、映像信号の選択に用いられるとともに、ＬＮＢの電源電圧として用いられる。
【０００３】
信号入出力端子５１ａ，５１ｂに与えられた直流電圧Ｖ１ａ，Ｖ１ｂは、それぞれローパスフィルタ（ＬＰＦ）５２ａ，５２ｂを介してダイオード５４，５５のアノードに与えられる。ダイオード５４，５５のカソードは、ともに定電圧電源回路５６の電源ノードＮ５６に接続される。ダイオード５４，５５および定電圧電源回路５６は、ＬＮＢの電源回路５３を構成する。
【０００４】
直流電圧Ｖ１ａが直流電圧Ｖ１ｂよりも高い場合は、ダイオード５４，５５のうちのダイオード５４のみがオンし、直流電圧Ｖ１ａが電源電圧として定電圧電源回路５６に与えられる。直流電圧Ｖ１ｂが直流電圧Ｖ１ａよりも高い場合は、ダイオード５４，５５のうちのダイオード５５のみがオンし、直流電圧Ｖ１ｂが電源電圧として定電圧電源回路５６に与えられる。
【０００５】
定電圧電源回路５６は、直流電圧Ｖ１ａ，Ｖ１ｂに基づいて直流電圧Ｖ３（たとえば５Ｖ）を生成する。この直流電圧Ｖ３は、ＬＮＢに含まれるＬＮＡ（Low Noise Amplifier）５７、ローカル発振回路５８、ミキサ回路５９、周辺回路６０およびＩＦアンプ６１ａ，６１ｂに電源電圧として与えられる。
【０００６】
【発明が解決しようとする課題】
しかし、従来のＬＮＢでは、チャンネルを切換えるごとに２台のチューナからＬＮＢに流れる電流が大きく変動し、ノイズが発生するという問題があった。このノイズによりＬＮＢが誤動作して所望のチャンネルと異なるチャンネルが選択されたり、テレビ受像機の映像が乱されていた。
【０００７】
それゆえに、この発明の主たる目的は、複数のチューナに接続することが可能で、ノイズが少なく、電流変動による誤動作を起こさない受信装置を提供することである。
【０００８】
【課題を解決するための手段】
この発明に係る受信装置は、複数のチューナに接続することが可能な受信装置であって、それぞれ複数のチューナに接続するための複数の信号入出力端子と、受信した電波から複数の映像信号を抽出する信号抽出回路と、各信号入出力端子に対応して設けられ、対応の信号入出力端子を介してチューナから与えられた直流あるいは交流パルス信号の電圧レベルに従って信号抽出回路で抽出された複数の映像信号のうちのいずれかの映像信号を選択する選択回路と、各選択回路に対応して設けられ、対応の選択回路で選択された映像信号を増幅して対応の信号入出力端子に与える増幅回路と、複数の信号入出力端子がそれぞれ複数のチューナに接続されている場合は複数の信号入出力端子のうちの予め定められた信号入出力端子を介してチューナから与えられる直流信号が有する直流電力を電源ノードに与え、予め定められた信号入出力端子がチューナに接続されていない場合はそれ以外の信号入出力端子を介してチューナから与えられる直流信号が有する直流電力を電源ノードに与える第１の電源回路と、電源ノードを介して与えられる直流電力によって駆動され、信号抽出回路等用の直流電源電圧を生成する第２の電源回路とを備えたものである。
【０００９】
好ましくは、第１の電源回路は、各信号入出力端子に対応して設けられ、対応の信号入出力端子を介してチューナから与えられる直流信号によって駆動され、対応の増幅回路用の直流電源電圧を生成する電圧発生回路と、予め定められた信号入出力端子に対応する電圧発生回路の出力ノードと電源ノードとの間に接続された第１のダイオードと、予め定められた信号入出力端子以外の各信号入出力端子に対応して設けられ、対応の電圧発生回路の出力ノードと電源ノードとの間に直列接続された少なくとも２つの第２のダイオードとを含む。
【００１０】
また好ましくは、第１の電源回路は、各信号入出力端子に対応して設けられ、対応の信号入出力端子を介してチューナから与えられる直流信号によって駆動され、対応の増幅回路用の直流電源電圧を生成する電圧発生回路と、予め定められた信号入出力端子に対応する電圧発生回路の出力ノードと電源ノードとの間に接続された第１のダイオードと、予め定められた信号入出力端子以外の各信号入出力端子に対応して設けられて対応の電圧発生回路の出力ノードと電源ノードとの間に接続され、第１のダイオードのしきい値電圧よりも高いしきい値電圧を有する第２のダイオードとを含む。
【００１１】
また好ましくは、第１の電源回路は、予め定められた信号入出力端子を介してチューナから与えられる直流信号によって駆動され、対応の増幅回路用の第１の直流電源電圧を生成する第１の電圧発生回路と、予め定められた信号入出力端子以外の各信号入出力端子に対応して設けられ、対応の信号入出力端子を介してチューナから与えられる直流信号によって駆動され、第１の直流電源電圧よりも低い対応の増幅回路用の第２の直流電源電圧を生成する第２の電圧発生回路と、第１の電圧発生回路の出力ノードと電源ノードとの間に接続された第１のダイオードと、各第２の電圧発生回路に対応して設けられ、対応の第２の電圧発生回路の出力ノードと電源ノードとの間に接続された第２のダイオードとを含む。
【００１２】
また好ましくは、第１の電源回路は、各信号入出力端子に対応して設けられ、対応の信号入出力端子を介してチューナから与えられる直流信号によって駆動され、対応の増幅回路用の直流電源電圧を生成する電圧発生回路と、予め定められた信号入出力端子と電源ノードとの間に接続された第１のダイオードと、予め定められた信号入出力端子以外の各信号入出力端子に対応して設けられ、対応の電圧発生回路の出力ノードと電源ノードとの間に接続された第２のダイオードとを含む。
【００１３】
また好ましくは、第１の電源回路は、予め定められた信号入出力端子以外の各信号入出力端子に対応して設けられ、対応の信号入出力端子を介してチューナから与えられる直流信号によって駆動され、対応の増幅回路用の直流電源電圧を生成する電圧発生回路と、予め定められた信号入出力端子と電源ノードとの間に接続された第１のダイオードと、各電圧発生回路に対応して設けられ、対応の電圧発生回路の出力ノードと電源ノードとの間に接続された第２のダイオードとを含み、第２の電源回路は、さらに、予め定められた信号入出力端子に対応する増幅回路用の直流電源電圧も生成する。
【００１４】
【発明の実施の形態】
図１は、この発明の一実施の形態による衛星放送システムの受信部の構成を示すブロック図である。図１において、この衛星放送システムの受信部は、反射器１およびＬＮＢ２を含むアンテナ３と、レシーバ４ａ，４ｂと、テレビ受像機５ａ，５ｂとを備える。レシーバ４ａは、図２に示すように、ＤＢＳ（Direct Broadcasting by Satellite）チューナ６、ＦＭ復調器７、ビデオ＋オーディオ回路８および増幅器９を含む。レシーバ４ｂも、レシーバ４ａと同じ構成である。
【００１５】
衛星から出射された電波αは、反射器１を介してＬＮＢ２に入射される。ＬＮＢ２は、受信した電波αから複数チャンネルの映像信号を抽出するとともに低雑音増幅し、レシーバ４ａ，４ｂのＤＢＳチューナ６，６によって選択されたチャンネルの映像信号をそれぞれレシーバ４ａ，４ｂのＤＢＳチューナ６，６に与える。ＬＮＢ２の出力信号は、レシーバ４ａ，４ｂの各々において、ＤＢＳチューナ６を介してＦＭ復調器７に与えられ、ＦＭ復調器７でＦＭ復調される。
【００１６】
ＦＭ復調された映像信号は、ビデオ＋オーディオ回路８によってビデオ信号およびオーディオ信号に変換され、増幅器９で増幅されて対応のテレビ受像機５ａまたは５ｂに与えられる。テレビ受像機５ａ，５ｂの画面には、それぞれ、レシーバ４ａ，４ｂのＤＢＳチューナ６，６によって選択されたチャンネルの映像が表示される。
【００１７】
図３は、図１に示したＬＮＢ２の外観構成を示す斜視図である。図３において、このＬＮＢ２は、ケース部材１０と、その表面に設けられたフィードホーン１１および２つの信号入出力端子１２ａ，１２ｂとを備える。フィードホーン１１の開口部１１ａには、アンテナ３の反射器１で反射された電波αが入射される。ケース部材１０内には、フィードホーン１１に入射された電波αを処理するための信号処理回路が収納されている。このＬＮＢ２は、２台のレシーバ４ａ，４ｂのＤＢＳチューナ６，６で共用される。２つの信号入出力端子１２ａ，１２ｂの各々は、ケーブルを介してＤＢＳチューナ６に接続される。
【００１８】
図４は、ＬＮＢ２の信号処理回路の構成を示す回路ブロック図である。図４において、この信号処理回路は、ＬＮＡ１５ａ，１５ｂ、バンドパスフィルタ（ＢＰＦ）１６ａ〜１６ｄ、ローカル発振回路１７ａ，１７ｂ、ミキサ回路１８ａ〜１８ｄ、セレクタ１９、ＩＦアンプ２０ａ，２０ｂ、ローパスフィルタ（ＬＰＦ）２１ａ，２１ｂおよび電源回路２２を備える。
【００１９】
フィードホーン１１で受信された水平偏波信号φｈおよび垂直偏波信号φｖは、それぞれＬＮＡ１５ａ，１５ｂに入力される。信号φｈはＬＮＡ５ａで低雑音増幅されてバンドパスフィルタ１６ａ，１６ｃに与えられ、信号φｖはＬＮＡ１５ｂで低雑音増幅されてバンドパスフィルタ１６ｂ，１６ｄに与えられる。信号φｈ，φｖの周波数帯域は、１０．７〜１２．７５ＧＨｚである。バンドパスフィルタ１６ａ，１６ｂは、それぞれ信号φｈ，φｖのうちの１０．７〜１１．７ＧＨｚの周波数成分のみを通過させる。バンドパスフィルタ１６ｃ，１６ｄは、それぞれ信号φｈ，φｖのうちの１１．７〜１２．７５ＧＨｚの周波数成分のみを増加させる。
【００２０】
バンドパスフィルタ１６ａ〜１６ｄを通過した信号φｈ１，φｖ１，φｈ２，φｖ２は、それぞれミキサ回路１８ａ〜１８ｄに与えられる。ローカル発振回路１７ａは、９．７５ＧＨｚの高周波信号を生成してミキサ回路１８ａ，１８ｂに与える。ローカル発振回路１７ｂは、１０．６ＧＨｚの高周波信号を生成してミキサ回路１７ｃ，１７ｄに与える。信号φｈ１，φｖ１は、それぞれミキサ回路１７ａ，１７ｂによって９５０〜１９５０ＭＨｚのＩＦ信号φ１，φ２に変換される。信号φｈ２，φｖ２は、それぞれミキサ回路１７ｃ，１７ｄによって１０００〜２１５０ＭＨｚのＩＦ信号φ３，φ４に変換される。
【００２１】
セレクタ１９は、図５に示すように、２組の切換回路２３ａ，２３ｂおよび信号検出回路２４ａ，２４ｂを含む。信号検出回路２４ａ，２４ｂは、それぞれ、２台のＤＢＳチューナ６，６から信号入出力端子１２ａ，１２ｂおよびローパスフィルタ２１ａ，２１ｂを介して与えられた直流電圧Ｖ１ａ，Ｖ１ｂおよびクロック信号ＣＬＫａ，ＣＬＫｂに従って、４つの信号Ｓ１ａ〜Ｓ４ａ，Ｓ１ｂ〜Ｓ４ｂのうちのいずれかの信号を活性化レベルの「Ｈ」レベルにする。直流電圧Ｖ１ａ，Ｖ１ｂの各々は、１８Ｖまたは１３Ｖになる。クロック信号ＣＬＫａ，ＣＬＫｂの周波数は２２ＫＨｚであり、各々の振幅はともに０．６Ｖである。
【００２２】
切換回路２３ａ，２３ｂは、それぞれ、信号検出回路２４ａ，２４ｂの出力信号Ｓ１ａ〜Ｓ４ａ，Ｓ１ｂ〜Ｓ４ｂに従ってＩＦ信号φ１〜φ４のうちのいずれかのＩＦ信号を選択し、そのＩＦ信号をＩＦアンプ２０ａ，２０ｂに与える。
【００２３】
切換回路２３ａおよび信号検出回路２４ａでは、直流電圧Ｖ１ａが１８Ｖでクロック信号ＣＬＫａが入力されない場合は信号Ｓ１ａが「Ｈ」レベルにされて信号φ１が選択され、直流電圧Ｖ１ａが１３Ｖでクロック信号ＣＬＫａが入力されない場合は信号Ｓ２ａが「Ｈ」レベルにされて信号φ２が選択され、直流電圧Ｖ１ａが１８Ｖでクロック信号ＣＬＫａが入力される場合は信号Ｓ３ａが「Ｈ」レベルにされて信号φ３が選択され、直流電圧Ｖ１ａが１３Ｖでクロック信号ＣＬＫａが入力される場合は信号Ｓ４ａが「Ｈ」レベルにされて信号φ４が選択される。切換回路２３ｂおよび信号検出回路２４ｂも、切換回路２３ａおよび信号検出回路２４ａと同様である。
【００２４】
ＩＦアンプ２０ａ，２０ｂは、それぞれ、切換回路２３ａ，２３ｂからのＩＦ信号を増幅して信号入出力端子１２ａ，１２ｂに与える。ローパスフィルタ２１ａ，２１ｂは、それぞれ、直流電圧Ｖ１ａ，Ｖ１ｂおよびクロック信号ＣＬＫａ，ＣＬＫｂは通過させるがＩＦ信号は通過させない。直流電圧Ｖ１ａ，Ｖ１ｂは、電源回路２２の電源電圧としても用いられる。
【００２５】
電源回路２２は、図６に示すように、定電圧電源回路３０ａ，３０ｂ，３１およびダイオード３２〜３４を含む。定電圧電源回路３０ａは、レシーバ４ａのＤＢＳチューナ６から信号入出力端子１２ａおよびローパスフィルタ２１ａを介して与えられた直流電圧Ｖ１ａ（１８Ｖまたは１３Ｖ）に基づいて直流電圧Ｖ２ａ（８Ｖ）を生成する。定電圧電源回路３０ｂは、レシーバ４ｂのＤＢＳチューナ６から信号入出力端子１２ｂおよびローパスフィルタ２１ｂを介して与えられた直流電圧Ｖ１ｂ（１８Ｖまたは１３Ｖ）に基づいて直流電圧Ｖ２ｂ（８Ｖ）を生成する。
【００２６】
定電圧電源回路３０ａの出力電圧Ｖ２ａは、ＩＦアンプ２０ａに電源電圧として与えられるとともに、ダイオード３２を介して定電圧電源回路３１の電源ノードＮ３１に与えられる。定電圧電源回路３０ｂの出力電圧Ｖ２ｂは、ＩＦアンプ２０ｂに電源電圧として与えられるとともに、ダイオード３３，３４を介して定電圧電源回路３１の電源ノードＮ３１に与えられる。ダイオード３２〜３４のしきい値電圧は、ともに０．６Ｖである。
【００２７】
定電圧電源回路３１は、電源ノードＮ３１に与えられた直流電圧（７．４Ｖまたは６．８Ｖ）に基づいて直流電圧Ｖ３（５Ｖ）を生成する。定電圧電源回路３１の出力電圧Ｖ３は、ＬＮＡ１５ａ，１５ｂ、ローカル発振回路１７ａ，１７ｂ、ミキサ回路１８ａ〜１８ｄおよび他の周辺回路２５に電源電圧として与えられる。
【００２８】
信号入出力端子１２ａ，１２ｂにそれぞれＤＢＳチューナ６，６が接続されている場合は、ＤＢＳチューナ６，６から与えられる直流電圧Ｖ１ａ，Ｖ１ｂの高低に関係なく、ダイオード３２〜３４のうちのダイオード３２のみがオンし、直流電圧Ｖ１ａ，Ｖ１ｂが定電圧電源回路３０ａ，３０ｂの電源電圧となり、定電圧電源回路３０ａの出力電圧Ｖ２ａが定電圧電源回路３１の電源電圧となる。したがって、チャンネルの切換に伴って直流電圧Ｖ１ａ，Ｖ１ｂが変動しても、チューナ６，６からＬＮＢ２に流れる電流は変化せず、ノイズが生じることがない。
【００２９】
なお、信号入出力端子１２ａにＤＢＳチューナ６が接続されていない場合は、ダイオード３２〜３４のうちのダイオード３３，３４がオンし、定電圧電源回路３０ｂの出力電圧Ｖ２ｂが定電圧電源回路３１の電源電圧となる。
【００３０】
以下、この実施の形態の種々の変更例について説明する。図７は、変更例１によるＬＮＢの電源回路４０の構成を示す回路ブロック図である。図７において、この電源回路４０が図６の電源回路２２と異なる点は、ダイオード３４が削除され、定電圧電源回路３０ａが定電圧電源回路３０ａ′で置換されている点である。定電圧電源回路３０ｂの出力電圧Ｖ２ｂは、ダイオード３３を介して定電圧電源回路３１の電源ノードＮ３１に入力される。定電圧電源回路３０ａ′は、ＤＢＳチューナ６からの直流電圧Ｖ１ａに基づいて直流電圧Ｖ２ｂ（８Ｖ）よりも高い直流電圧Ｖ２ａ′（９Ｖ）を生成する。直流電圧Ｖ２ａ′は、電源電圧としてＩＦアンプ２０ａに与えられるとともに、ダイオード３２を介して定電圧電源回路３１の電源ノードＮ３１に与えられる。
【００３１】
この変更例１では、信号入出力端子１２ａ，１２ｂにそれぞれチューナ６，６が接続されている場合は、ＤＢＳチューナ６，６から与えられる電圧Ｖ１ａ，Ｖ１ｂの高低に関係なくダイオード３２，３３のうちのダイオード３２のみがオンし、直流電圧Ｖ１ａ，Ｖ１ｂが定電圧電源回路３０ａ′，３０ｂの電源電圧となり、定電圧電源回路３０ａ′の出力電圧Ｖ２ａ′が定電圧電源回路３１の電源電圧となる。したがって、チャンネルの切換に伴って直流電圧Ｖ１ａ，Ｖ１ｂが変動しても、チューナ６，６からＬＮＢ２に流れる電流は変化せず、ノイズが生じることがない。
【００３２】
図８は、変更例２によるＬＮＢの電源回路４１の構成を示す回路ブロック図である。図８において、この電源回路４１が図６の電源回路２２と異なる点は、ダイオード３２がダイオード３２′で置換され、ダイオード３４が削除されている点である。ダイオード３２′のしきい値電圧（０．４Ｖ）は、ダイオード３３のしきい値電圧（０．６Ｖ）よりも小さく設定されている。この変更例２でも、ダイオード３２′，３３のうちのダイオード３２′のみがオンするので、チャンネルの切換に伴って直流電圧Ｖ１ａ，Ｖ１ｂが変動しても、チューナ６，６からＬＮＢに流れる電流は変化せず、ノイズが生じることがない。なお、ダイオード３３のしきい値電圧をより大きな値（たとえば０．８Ｖ）にしてもよいことはいうまでもない。
【００３３】
図９は、変更例３によるＬＮＢの電源回路４２の構成を示す回路ブロック図である。図９において、この電源回路４２が図６の電源回路２２と異なる点は、ダイオード３４が削除され、チューナ６からの直流電圧Ｖ１ａがダイオード３２を介して定電圧電源回路３１の電源ノードＮ３１に入力されている点である。この変更例３でも、ダイオード３２，３３のうちのダイオード３２のみがオンするので、チャンネルの切換に伴って直流電圧Ｖ１ａ，Ｖ１ｂが変動しても、チューナ６，６からＬＮＢに流れる電流は変化せず、ノイズが生じることもない。
【００３４】
図１０は、変更例４によるＬＮＢの電源回路４３の構成を示す回路ブロック図である。図１０において、この電源回路４３が図９の電源回路４２と異なる点は、定電圧電源回路３０ａが削除され、定電圧電源回路３１の出力電圧Ｖ３が電源電圧としてＩＦアンプ２０ａに与えられている点である。この変更例４でも、ダイオード３２，３３のうちのダイオード３２のみがオンするので、チャンネルの切換に伴って直流電圧Ｖ１ａ，Ｖ１ｂが変動しても、チューナ６，６からＬＮＢに流れる電流は変化せず、ノイズが生ずることがない。
【００３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３６】
【発明の効果】
以上のように、この発明に係る受信装置では、複数の信号入出力端子がそれぞれ複数のチューナに接続されている場合は複数の信号入出力端子のうちの予め定められた信号入出力端子を介してチューナから与えられる直流信号が有する直流電力を電源ノードに与え、予め定められた信号入出力端子がチューナに接続されていない場合はそれ以外の信号入出力端子を介してチューナから与えられる直流信号が有する直流電力を電源ノードに与える第１の電源回路と、電源ノードを介して与えられる直流電力によって駆動され、信号抽出回路等用の直流電源電圧を生成する第２の電源回路とが設けられる。したがって、複数の信号入出力端子に複数のチューナが接続されている場合は、各チューナから与えられる直流信号の電圧レベルの高低に関係なく、予め定められた信号入出力端子を介して与えられる直流信号によって第２の電源回路が駆動される。よって、チャンネルの切換に伴って直流信号の電圧レベルが変動しても各チューナから受信装置に流れる電流が変動せず、ノイズが生じることがなく誤動作を起こさない。
【００３７】
好ましくは、第１の電源回路は、各信号入出力端子に対応して設けられ、対応の信号入出力端子を介してチューナから与えられる直流信号によって駆動され、対応の増幅回路用の直流電源電圧を生成する電圧発生回路と、予め定められた信号入出力端子に対応する電圧発生回路の出力ノードと電源ノードとの間に接続された第１のダイオードと、予め定められた信号入出力端子以外の各信号入出力端子に対応して設けられ、対応の電圧発生回路の出力ノードと電源ノードとの間に直列接続された少なくとも２つの第２のダイオードとを含む。この場合は、各信号入出力端子にチューナが接続されている限り、第１および第２のダイオードのうちの第１のダイオードのみがオンし、予め定められた信号入出力端子に対応する電圧発生回路で生成された直流電源電圧が第１のダイオードおよび電源ノードを介して第２の電源回路に与えられる。
【００３８】
また好ましくは、第１の電源回路は、各信号入出力端子に対応して設けられ、対応の信号入出力端子を介してチューナから与えられる直流信号によって駆動され、対応の増幅回路用の直流電源電圧を生成する電圧発生回路と、予め定められた信号入出力端子に対応する電圧発生回路の出力ノードと電源ノードとの間に接続された第１のダイオードと、予め定められた信号入出力端子以外の各信号入出力端子に対応して設けられて対応の電圧発生回路の出力ノードと電源ノードとの間に接続され、第１のダイオードのしきい値電圧よりも高いしきい値電圧を有する第２のダイオードとを含む。この場合も、各信号入出力端子にチューナが接続されている限り、第１および第２のダイオードのうちの第１のダイオードのみがオンする。
【００３９】
また好ましくは、第１の電源回路は、予め定められた信号入出力端子を介してチューナから与えられる直流信号によって駆動され、対応の増幅回路用の第１の直流電源電圧を生成する第１の電圧発生回路と、予め定められた信号入出力端子以外の各信号入出力端子に対応して設けられ、対応の信号入出力端子を介してチューナから与えられる直流信号によって駆動され、第１の直流電源電圧よりも低い対応の増幅回路用の第２の直流電源電圧を生成する第２の電圧発生回路と、第１の電圧発生回路の出力ノードと電源ノードとの間に接続された第１のダイオードと、各第２の電圧発生回路に対応して設けられ、対応の第２の電圧発生回路の出力ノードと電源ノードとの間に接続された第２のダイオードとを含む。この場合も、各信号入出力端子にチューナが接続されている限り、第１および第２のダイオードのうちの第１のダイオードのみがオンする。
【００４０】
また好ましくは、第１の電源回路は、各信号入出力端子に対応して設けられ、対応の信号入出力端子を介してチューナから与えられる直流信号によって駆動され、対応の増幅回路用の直流電源電圧を生成する電圧発生回路と、予め定められた信号入出力端子と電源ノードとの間に接続された第１のダイオードと、予め定められた信号入出力端子以外の各信号入出力端子に対応して設けられ、対応の電圧発生回路の出力ノードと電源ノードとの間に接続された第２のダイオードとを含む。この場合も、各信号入出力端子にチューナが接続されている限り、第１および第２のダイオードのうちの第１のダイオードのみがオンする。
【００４１】
また好ましくは、第１の電源回路は、予め定められた信号入出力端子以外の各信号入出力端子に対応して設けられ、対応の信号入出力端子を介してチューナから与えられる直流信号によって駆動され、対応の増幅回路用の直流電源電圧を生成する電圧発生回路と、予め定められた信号入出力端子と電源ノードとの間に接続された第１のダイオードと、各電圧発生回路に対応して設けられ、対応の電圧発生回路の出力ノードと電源ノードとの間に接続された第２のダイオードとを含み、第２の電源回路は、さらに、予め定められた信号入出力端子に対応する増幅回路用の直流電源電圧も生成する。この場合も、各信号入出力端子にチューナが接続されている限り、第１および第２のダイオードのうちの第１のダイオードのみがオンする。
【図面の簡単な説明】
【図１】  この発明の一実施の形態による衛星放送システムの受信部の構成を示すブロック図である。
【図２】  図１に示したレシーバの構成を示すブロック図である。
【図３】  図１に示したＬＮＢの外観構成を示す斜視図である。
【図４】  図３に示したＬＮＢに含まれる信号処理回路の構成を示す回路ブロック図である。
【図５】  図４に示したセレクタの構成を示すブロック図である。
【図６】  図４に示した電源回路の構成を示す回路ブロック図である。
【図７】  この実施の形態の変更例１を示す回路ブロック図である。
【図８】  この実施の形態の変更例２を示す回路ブロック図である。
【図９】  この実施の形態の変更例３を示す回路ブロック図である。
【図１０】  この実施の形態の変更例４を示す回路ブロック図である。
【図１１】  従来のＬＮＢの電源回路の構成を示す回路ブロック図である。
【符号の説明】
１  反射器、２  ＬＮＢ、３  アンテナ、４ａ，４ｂ  レシーバ、５ａ，５ｂテレビ受像機、６  ＤＢＳチューナ、７  ＦＭ復調器、８  ビデオ＋オーディオ回路、９  増幅器、１０  ケース部材、１１  フィードホーン、１１ａ  開口部、１２ａ，１２ｂ，５１ａ，５１ｂ  信号入出力端子、１５ａ，１５ｂ，５７ＬＮＡ、１６ａ〜１６ｄ  バンドパスフィルタ、１７ａ，１７ｂ，５８  ローカル発振回路、１８ａ〜１８ｄ，５９  ミキサ回路、１９  セレクタ、２０ａ，２０ｂ，６１ａ，６１ｂ  ＩＦアンプ、２１ａ，２１ｂ，５２ａ，５２ｂ  ローパスフィルタ、２２，４０〜４３，５３  電源回路、２３ａ，２３ｂ  切換回路、２４ａ，２４ｂ  信号検出回路、２５，６０  周辺回路、３０ａ，３０ａ′，３０ｂ，３０ｂ′，３１，５６  定電圧電源回路、３２，３２′，３３，３４，５４，５５  ダイオード。
【図１】
0004100872.tif 000002
【図２】
0004100872.tif 000003
【図３】
0004100872.tif 000004
【図４】
0004100872.tif 000005
【図５】
0004100872.tif 000006
【図６】
0004100872.tif 000007
【図７】
0004100872.tif 000008
【図８】
0004100872.tif 000009
【図９】
0004100872.tif 000010
【図１０】
0004100872.tif 000011
【図１１】
0004100872.tif 000012